(57)【要約】      （修正有）【課題】電波の届かない場所に火災感知器などの警報器を設置する場合を考慮して無線防災システムを補完可能とする。【解決手段】伝送選択部５４は、無線通信部２６、有線入力部３４又は有線出力部３８の組合せにより、無線出力のみ、有線入力と無線出力、有線出力のみ、又は有線入力と有線出力のいずれかを選択する。内部イベント処理部５６は自己で異常を検出した際に、伝送選択部５４で選択している無線通信部又は有線出力部により異常を示すイベント信号を外部に出力させる。外部イベント処理部５８は有線入力部３４を介して他の無線式警報器からのイベント信号を受付けた際に、伝送選択部５４で選択している無線通信部２６又は有線出力部３８により他の無線式警報器からのイベント信号を外部に出力させる。双方向伝送機能により遠隔的な復旧制御や試験制御もできる。【選択図】図２
2010140390.tif 000002
【特許請求の範囲】
【請求項１】
無線信号を送信する無線通信部と、
他の無線式警報器を有線により接続して信号を入力する有線入力部と、
他の無線式警報器を有線により接続して信号を出力する有線出力部と、
自己で異常を検出した際に、前記無線通信部および前記有線出力部により前記異常を示すイベント信号を外部に出力させる内部イベント処理部と、
前記有線入力部を介して他の無線式警報器からのイベント信号を受付けた際に、前記無線通信部および前記有線出力部により他の無線式警報器からのイベント信号を自己のイベント信号又は当該他の無線式警報器のイベント信号として外部に出力させる外部イベント処理部と、
を備えたことを特徴とする無線式警報器。
【請求項２】
無線信号を送信する無線通信部と、
他の無線式警報器を有線により接続して信号を入力する有線入力部と、
他の無線式警報器を有線により接続して信号を出力する有線出力部と、
前記無線通信部、有線入力部又は前記有線出力部の組合せにより、無線出力の有無、有線出力の有無、有線出力の有無を選択できる伝送選択部と、
自己で異常を検出した際に、前記伝送選択部で選択している前記無線通信部又は前記有線出力部により前記異常を示すイベント信号を外部に出力させる内部イベント処理部と、
前記伝送選択部で有線入力が選択されている場合に、前記有線入力部を介して他の無線式警報器からのイベント信号を受付けた際に、前記伝送選択部で選択している前記無線通信部又は前記有線出力部により他の無線式警報器からのイベント信号を自己のイベント信号又は当該他の無線式警報器のイベント信号として外部に出力させる外部イベント処理部と、
を備えたことを特徴とする無線式警報器。
【請求項３】
無線信号を送信する無線通信部と、
他の無線式警報器を有線により接続して信号を入力する有線入力部と、
他の無線式警報器を有線により接続して信号を出力する有線出力部と、
前記無線通信部、有線入力部又は前記有線出力部の組合せにより、無線出力のみ、有線入力と無線出力、有線出力のみ、有線入力と有線出力、又は有線出力と無線出力のいずれかを選択できる伝送選択部と、
自己で異常を検出した際に、前記伝送選択部で選択している前記無線通信部又は前記有線出力部により前記異常を示すイベント信号を外部に出力させる内部イベント処理部と、
前記伝送選択部で有線入力が選択されている場合に、前記有線入力部を介して他の無線式警報器からのイベント信号を受付けた際に、前記伝送選択部で選択している前記無線通信部又は前記有線出力部により他の無線式警報器からのイベント信号を自己のイベント信号又は当該他の無線式警報器のイベント信号として外部に出力させる外部イベント処理部と、
を備えたことを特徴とする無線式警報器。
【請求項４】
請求項１乃至３のいずれかに記載の無線式警報器に於いて、前記外部イベント処理部は、他の無線式警報器からのイベント信号を受け付けた際に、他の無線式警報器のアドレスを識別し、識別した他の無線式警報器のアドレスを付加して前記他の無線式警報器でのイベント発生を外部へ出力することを特徴とする無線式警報器。
【請求項５】
無線信号を送受信する無線通信部と、
下位に配置した他の無線式警報器を有線により接続して信号を入出力する有線下位通信部と、
上位に配置した他の無線式警報器を有線により接続して信号を入出力する有線上位通信部と、
自己で異常を検出した際に、前記無線通信部および前記有線上位通信部により前記異常を示すイベント信号を外部に出力させる内部イベント処理部と、
前記有線下位通信部を介して他の無線式警報器からのイベント信号を受付けた際に、前記無線通信部および前記有線上位通信部により他の無線式警報器からのイベント信号を自己のイベント信号又は当該他の無線式警報器のイベント信号として外部に出力させる外部イベント処理部と、
を備えたことを特徴とする無線式警報器。
【請求項６】
無線信号を送受信する無線通信部と、
下位に配置した他の無線式警報器を有線により接続して信号を入出力する有線下位通信部と、
上位に配置した他の無線式警報器を有線により接続して信号を入出力する有線上位通信部と、
前記無線通信部、有線下位通信部又は前記有線上位通信部の組合せにより、無線入出力の有無、有有線上位入出力の有無、有線下位入出力の有無を選択できる伝送選択部と、
自己で異常を検出した際に、前記伝送選択部で選択している前記無線通信部又は前記有線上位通信部により前記異常を示すイベント信号を外部に出力させる内部イベント処理部と、
前記伝送選択部で有線下位入出力が選択されている場合に、前記有線下位通信部を介して他の無線式警報器からのイベント信号を受付けた際に、前記伝送選択部で選択している前記無線通信部又は前記有線上位通信部により他の無線式警報器からのイベント信号を自己のイベント信号又は当該他の無線式警報器のイベント信号として外部に出力させる外部イベント処理部と、
を備えたことを特徴とする無線式警報器。
【請求項７】
無線信号を送受信する無線通信部と、
下位に配置した他の無線式警報器を有線により接続して信号を入出力する有線下位通信部と、
上位に配置した他の無線式警報器を有線により接続して信号を入出力する有線上位通信部と、
前記無線通信部、有線下位通信部又は前記有線上位通信部の組合せにより、無線入出力のみ、有線下位入出力と無線入出力、有線上位入出力のみ、有線上位入出力と無線入出力、又は有線下位入出力と有線上位入出力のいずれかを選択するできる伝送選択部と、
自己で異常を検出した際に、前記伝送選択部で選択している前記無線通信部又は前記有線上位通信部により前記異常を示すイベント信号を外部に出力させる内部イベント処理部と、
前記伝送選択部で有線下位入出力が選択されている場合に、前記有線下位通信部を介して他の無線式警報器からのイベント信号を受付けた際に、前記電装伝送選択部で選択している前記無線通信部又は前記有線上位通信部により他の無線式警報器からのイベント信号を自己のイベント信号又は当該他の無線式警報器のイベント信号として外部に出力させる外部イベント処理部と、
を備えたことを特徴とする無線式警報器。
【請求項８】
請求項５乃至７のいずれかに記載の無線式警報器に於いて、前記外部イベント処理部は、他の無線式警報器からのイベント信号を受け付けた際に、他の無線式警報器のアドレスを識別し、識別した他の無線式警報器のアドレス情報を付加して前記他の無線式警報器でのイベント発生を外部へ出力することを特徴とする無線式警報器。
【請求項９】
請求項５乃至７のいずれかに記載の無線式警報器に於いて、更に、外部からの復旧指示を受け付け、自己を復旧すると共に自己に有線接続された他の無線式警報器に復旧指示信号を送出する復旧制御部を備えたことを特徴とする無線式警報器。
【請求項１０】
請求項９記載の無線式警報器に於いて、前記復旧制御部は、外部からの復旧指示を受け付けると共に、復旧対象となる無線式警報器のアドレスを識別し、識別した復旧対象が自己である場合には自己を復旧し、前記有線接続された他の無線式警報器である場合には、前記有線接続された他の復旧対象警報器に対して復旧指示信号を送出することを特徴とする無線式警報器。
【請求項１１】
請求項５乃至７のいずれかに記載の無線式警報器に於いて、更に、外部からの試験指示を受け付けた際に、自己の状態を試験すると共に、自己に有線接続された他の無線式警報器へ試験指示信号を出力し、自己の試験結果と前記他の無線式警報器の試験結果を外部へ送信する試験制御部を備えたことを特徴とする無線式警報器。
【請求項１２】
請求項１１記載の無線式警報器に於いて、前記試験制御部は、自己の試験結果、又は自己の試験結果と他の無線式また警報器の試験結果を表示することを特徴とする無線式警報器。
【発明の詳細な説明】
【技術分野】
【０００１】
本発明は、火災などの異常を検出して無線により受信機側に送信して警報させる無線式警報器に関する。
【背景技術】
【０００２】
従来、火災を監視する無線式の防災監視システムにあっては、ビルの各フロアといった警戒区域に複数の無線式火災感知器を設置し、無線式火災感知器で火災を検出した時、火災を示す無線信号をフロア単位に設置した無線受信用中継器に送信する。無線受信用中継器は防災センター等に設置されている火災受信機からの感知器回線に接続されており、火災無線信号を受信すると、リレー接点やスイッチング素子のオンにより感知回線間に発報電流を流すことにより火災発報信号を受信機に送信して火災警報を出すようにしている。
【０００３】
このような無線防災システムによれば、建物のフロア単位に設置している中継器と感知器を接続する感知器回線を不要にでき、配線工事が簡単になり、感知器の設置場所も必要に応じて適宜に決めることができる。
【特許文献１】特開平５−２７４５８０号公報
【特許文献２】特開２００１−２９２０８９号公報
【発明の開示】
【発明が解決しようとする課題】
【０００４】
しかしながら、このような従来の無線式の防災システムにあっては、ダクト内などの電波の届かない場所に火災感知器を設置しなければならない場合があり、このような場合には無線式火災感知器を設置することができず、無線式の防災監視システムを構築する際のネックとなっている。また無線式感知器設置後のシステム運用中にも、電波環境が変化して信号伝送が出来なくなることも考えられる。
【０００５】
このような場合、伝送障害状態となった無線式感知器の近傍に無線受信用中継器を増設して、無線受信用中継器から受信機へ、場合によっては長距離の配線作業を行う必要があった。このように、本来必要ないはずの長距離配線が必要になると、配線工事が簡単であるといった無線防災システムのメリットが大きく損なわれることになる。また本来のシステム構想にない中継器の台数が増えることにより、費用面でも大きなデメリットがあると同時に設置場所を新規に確保しなければならないといった問題もある。
【０００６】
本発明は、電波の届かない場所に火災感知器などの警報器を設置する場合を考慮して、無線防災監視システムの利点を極力損なわないよう最小限の有線配線を用いて無線防災システムを補完可能とする無線式警報器を提供することを目的とする。
【課題を解決するための手段】
【０００７】
（上り方向伝送）
本発明は無線式警報器に於いて、
無線信号を送受信する無線通信部と、
下位に配置した他の無線式警報器を有線により接続して信号を入出力する有線下位通信部と、
上位に配置した他の無線式警報器を有線により接続して信号を入出力する有線上位通信部と、
自己で異常を検出した際に、無線通信部および有線上位通信部により異常を示すイベント信号を外部に出力させる内部イベント処理部と、
有線下位通信部を介して他の無線式警報器からのイベント信号を受付けた際に、無線通信部および有線上位通信部により他の無線式警報器からのイベント信号を自己のイベント信号又は当該他の無線式警報器のイベント信号として外部に出力させる外部イベント処理部と、
を備えたことを特徴とする。
【０００８】
また本発明は無線式警報器に於いて、
無線信号を送信する無線通信部と、
他の無線式警報器を有線により接続して信号を入力する有線入力部と、
他の無線式警報器を有線により接続して信号を出力する有線出力部と、
無線通信部、有線入力部又は有線出力部の組合せにより、無線出力の有無、有線出力の有無、有線出力の有無を選択できる伝送選択部と、
自己で異常を検出した際に、伝送選択部で選択している無線通信部又は有線出力部により異常を示すイベント信号を外部に出力させる内部イベント処理部と、
伝送選択部で有線入力が選択されている場合に、有線入力部を介して他の無線式警報器からのイベント信号を受付けた際に、伝送選択部で選択している無線通信部又は有線出力部により他の無線式警報器からのイベント信号を自己のイベント信号又は当該他の無線式警報器のイベント信号として外部に出力させる外部イベント処理部と、
を備えたことを特徴とする。
【０００９】
更に、本発明は無線式警報器に於いて、
無線信号を送信する無線通信部と、
他の無線式警報器を有線により接続して信号を入力する有線入力部と、
他の無線式警報器を有線により接続して信号を出力する有線出力部と、
無線通信部、有線入力部又は有線出力部の組合せにより、無線出力のみ、有線入力と無線出力、有線出力のみ、又は有線入力と有線出力のいずれかを選択できる選択部と、
自己で異常を検出した際に、選択部で選択している無線通信部又は有線出力部により異常を示すイベント信号を外部に出力させる内部イベント処理部と、
伝送選択部で有線入力が選択されている場合に、有線入力部を介して他の無線式警報器からのイベント信号を受付けた際に、伝送選択部で選択している無線通信部又は有線出力部により他の無線式警報器からのイベント信号を自己のイベント信号又は当該他の無線式警報器のイベント信号として外部に出力させる外部イベント処理部と、
を備えたことを特徴とする。
【００１０】
ここで、外部イベント処理部は、他の無線式警報器からのイベント信号を受け付けた際に、他の無線式警報器のアドレスを識別し、識別した他の無線式警報器のアドレスを付加して他の無線式警報器でのイベント発生を外部へ無線送信する。
（双方向伝送）
本発明の無線式警報器の他の形態にあっては、
無線信号を送受信する無線通信部と、
下位に配置した他の無線式警報器を有線により接続して信号を入出力する有線下位通信部と、
上位に配置した他の無線式警報器を有線により接続して信号を入出力する有線上位通信部と、
無線通信部、有線下位通信部又は有線上位通信部の組合せにより、無線入出力の有無、有有線上位入出力の有無、有線下位入出力の有無を選択できる伝送選択部と、
自己で異常を検出した際に、伝送選択部で選択している無線通信部又は有線上位通信部により異常を示すイベント信号を外部に出力させる内部イベント処理部と、
伝送選択部で有線下位入出力が選択されている場合に、有線下位通信部を介して他の無線式警報器からのイベント信号を受付けた際に、伝送選択部で選択している無線通信部又は有線上位通信部により他の無線式警報器からのイベント信号を自己のイベント信号又は当該他の無線式警報器のイベント信号として外部に出力させる外部イベント処理部と、
を備えたことを特徴とする。
【００１１】
また本発明の無線式警報器の他の形態にあっては、
無線信号を送受信する無線通信部と、
下位に配置した他の無線式警報器を有線により接続して信号を入出力する有線下位通信部と、
上位に配置した他の無線式警報器を有線により接続して信号を入出力する有線上位通信部と、
自己で異常を検出した際に、無線通信部および有線上位通信部により異常を示すイベント信号を外部に出力させる内部イベント処理部と、
有線下位通信部を介して他の無線式警報器からのイベント信号を受付けた際に、無線通信部および有線上位通信部により他の無線式警報器からのイベント信号を自己のイベント信号又は当該他の無線式警報器のイベント信号として外部に出力させる外部イベント処理部と、
を備えたことを特徴とする。
【００１２】
更に、本実施形態の無線式警報器は、
無線信号を送受信する無線通信部と、
下位に配置した他の無線式警報器を有線により接続して信号を入出力する有線下位通信部と、
上位に配置した他の無線式警報器を有線により接続して信号を入出力する有線上位通信部と、
無線通信部、有線下位通信部又は有線上位通信部の組合せにより、無線入出力のみ、有線下位入出力と無線入出力、有線上位入出力のみ、有線上位入出力と無線入出力、又は有線下位入出力と有線上位入出力のいずれかを選択できる伝送選択部と、
自己で異常を検出した際に、伝送選択部で選択している無線通信部又は有線上位通信部により異常を示すイベント信号を外部に出力させる内部イベント処理部と、
伝送選択部で有線下位入出力が選択されている場合に、有線下位通信部を介して他の無線式警報器からのイベント信号を受付けた際に、電装選択部で選択している無線通信部又は有線上位通信部により他の無線式警報器からのイベント信号を自己のイベント信号又は当該他の無線式警報器のイベント信号として外部に出力させる外部イベント処理部と、
を備えたことを特徴とする。
【００１３】
ここで、外部イベント処理部は、他の無線式警報器からのイベント信号を受け付けた際に、他の無線式警報器のアドレスを識別し、識別した他の無線式警報器のアドレス情報を付加して他の無線式警報器でのイベント発生を外部へ出力する。
【００１４】
本発明の無線式警報器に、更に、外部からの復旧指示を受け付け、自己を復旧すると共に自己に有線接続された他の警報器に復旧指示信号を送出する復旧制御部を備える。
【００１５】
復旧制御部は、外部からの復旧指示を受け付けると共に、復旧対象となる無線式警報器のアドレスを識別し、識別した復旧対象が自己である場合には自己を復旧し、有線接続された他の無線式警報器である場合には、有線接続された他の復旧対象警報器に対して復旧指示信号を送出する。
【００１６】
本発明の無線式警報器は、更に、外部からの試験指示を受け付けた際に、自己の状態を試験すると共に、自己に有線接続された他の無線式警報器へ試験指示信号を出力し、自己の試験結果と前記他の無線式警報器の試験結果を外部へ送信する試験制御部を備える。
【００１７】
試験制御部は、自己の試験結果、又は自己の試験結果と他の無線式警報器の試験結果を表示部に表示させる。
【発明の効果】
【００１８】
本発明によれば、電波の届く場所に設置された無線式警報器に対し信号線によって他の無線式警報器を接続し、他の無線式警報器で火災などの異常を検出した際に出力されたイベント信号を信号線により受信して無線送信するため、電波の届かないダクトなど場所については、他の無線式警報器を設置して電波の届く場所に設置している無線式警報器に有線接続することで、無線防災システム本来の利点を極力損なわないように、しかも簡単且つ低コストで無線防災システムを補完することができる。このように簡易な補完手段を確保することで、ユーザーに対しシステム提案やシステム保障がし易くなるなどのメリットも得ることが出来る。
【００１９】
また、双方向伝送機能をもたせることで、無線受信用中継器から送信された復旧指示信号により電波の届く範囲に設置した無線式警報器を経由して有線接続した電波の届かない場所に設置している無線式警報器の遠隔復旧ができる。
【００２０】
同様に、双方向伝送機能をもたせることで、無線受信用中継器から送信された試験指示信号により電波の届く範囲に設置した無線式警報器を経由して有線接続した電波の届かない場所に設置している無線式警報器の遠隔試験ができる。
【発明を実施するための最良の形態】
【００２１】
図１は本発明の無線式警報器として無線式火災感知器を用いた防災監視システムを示した説明図である。図１において、監視対象となる建物１１の１Ｆには火災受信機としてＰ型受信機１０が設置されており、Ｐ型受信機１０からは階別に感知器回線１８−１〜１８−３が引き出されている。
【００２２】
１Ｆ〜３Ｆには無線受信用中継器１２が設置され、それぞれ感知器回線１８−１〜１８−３に接続されている。１Ｆ〜３Ｆに設置された無線受信用中継器１２に対しては、本発明による無線式感知器１６が設置されている。
【００２３】
無線式感知器１６は、火災を検出して火災を示すイベント信号を無線受信用中継器１２に送信し、無線受信用中継器１２は無線式感知器１６から受信したイベント信号から火災を判別し、感知器回線１８−１乃至１８−３に発報電流を流すことでＰ型受信機１０に発報信号を送信して、回線単位の火災警報を行わせる。なお感知器回線１８−１〜１８−３のうち１乃至２回線は、無線受信用中継器を介さず有線式動作する感知器を直接接続するものであっても良い。
【００２４】
本発明による無線式感知器１６は、感知器自身で火災を検出してイベント信号を外部に無線送信する機能に加え、他の感知器を有線接続する入力端子と出力端子を備えている。
【００２５】
ここで、建物１１の３Ｆにあっては、無線受信用中継器１２に電波の届かない電波遮蔽空間となる例えばダクト２２の中に感知器を設置する必要があり、無線式感知器１６をそのまま設置することができないため、本発明の無線式感知器１６をダクト２２内に設置し、その近傍の電波の届く場所に設置している本発明の無線式感知器１６に信号線２１により接続している。
【００２６】
このように無線式感知器１６にダクト２２内に設置した無線式感知器１６を信号線２１で接続することで、ダクト２２内の無線式感知器１６で火災を検出した際に、火災を示すイベント信号を信号線２１により電波の届く場所に設置した無線式感知器１６に送信し、無線式感知器１６にあっては、他の無線式感知器１６から外部イベント信号の受信を判別すると、これを無線受信用中継器１２に対し無線送信し、無線受信用中継器１２で無線式感知器１６からの外部イベント信号から火災を判断し、感知器回線１８−３により発報信号をＰ型受信機１０に送信して火災警報を行わせることができる。
【００２７】
図２は本発明による無線式感知器の実施形態を示したブロック図であり、図１の３Ｆに示したように、電波の届く場所に設置した無線式感知器１６−１に電波の届かない場所に無線式感知器１６−２を設置して信号線２１により有線接続した場合を示している。
【００２８】
図２において、無線式感知器１６−１はプロセッサ２４を備える。プロセッサ２４としてはワンチップマイコンとして知られたコンピュータが使用され、１チップにＣＰＵ、ＲＯＭ、ＲＡＭ、ＡＤ変換ポート、各種の入出力ポートなどを備えている。
【００２９】
プロセッサ２４に対しては、無線通信部２６、センサ部３０、不揮発メモリ３２、有線入力部３４、有線出力部３８、操作部４２及び表示部４４が設けられ、更に各回路部に対しては電池電源４６による電源供給が行われている。
【００３０】
無線通信部２６は送信回路４８を備え、アンテナ２８を使用して、図１に示した無線受信用中継器１２に対し上りイベント信号を送信する。
【００３１】
センサ部３０は火災による煙や温度を検出するもので、煙検出については例えば光電式の検煙部が設けられ、一方、温度検出にはサーミスタなどの温度検出素子が設けられる。
【００３２】
不揮発メモリ３２は例えばＥＥＰＲＯＭが使用され、無線式感知器１６に割り当てられたアドレス４４を含むデータが記憶されている。
【００３３】
有線入力部３４は受信回路５０を備え、入力端子３６に電波の届かない場所に設置している他の無線式感知器１６−２を信号線２１により接続することができる。
【００３４】
有線出力部３８は送信回路５２を備え、無線式感知器１６−１を電波の届かない場所に設置した場合、出力端子４０に電波の届く場所に設置している他の無線式感知器に信号線で接続する。なお、入力端子３６及び出力端子４０に対する信号線の接続をコネクタ接続としても良い。
【００３５】
操作部４２は無線通信部２６、有線入力部３４及び有線出力部４０の組合せによる伝送モードを設定するディップスイッチなどを備える。表示部３６は例えばＬＥＤを用いた発報表示灯であり、無線式感知器１６で火災を検出した際に点灯して発報表示などを行う。
【００３６】
プロセッサ２４には、プログラムの実行により実現される機能として、伝送選択部５４、内部イベント処理部５６及び外部イベント処理部５８が設けられている。
【００３７】
伝送選択部５４は、無線通信部２６、有線入力部３４又は有線出力部３８の組合せにより、
（１）無線出力のみ、
（２）有線入力と無線出力、
（３）有線出力のみ、又は
（４）有線入力と有線出力
（５）有線出力と無線出力
のいずれかを選択する。ここで、前記（１）〜（５）の選択状態を伝送モード１〜５とする。もちろん、必ずしも５者択一である必要はない。また有線入力機能の有無（有効または無効）、有線出力の有無、無線出力の有無を適宜に切り替えるなどして、様々な伝送モードを設定選択可能とすることもできる。
【００３８】
図３は本発明の無線式感知器を用いた有線接続の形態を示した説明図である。図３（Ａ）は無線式感知器１６−１を電波の届く場所に設置した場合であり、火災を検出すると内部イベント信号を無線受信用中継器１２に無線送信するもので、これは伝送モード１を選択する。
【００３９】
図３（Ｂ）は図２のように無線式感知器１６−１に無線式感知器１６−２を信号線２１で接続した場合である。電波の届く場所に設置している無線式感知器１６−１は自己の火災検出による内部イベント信号は無線受信用中継器１２に無線送信し、また、他の無線式感知器１６−２からの外部イベント信号を有線入力して無線送信することから、伝送モード２を選択する。
【００４０】
図３（Ｂ）の電波の届かない場所に設置されて信号線２１により有線接続した無線式感知器１６−２は火災検出による内部イベント信号を有線出力することから、伝送モード３を選択する。もちろん無線信号を出力しても良いので、伝送モード５を選択しても良い。この場合、無線式感知器１６―２の近くでは、無線受信機能を有するメンテナンス端末等により無線式感知器１６―２の状態情報を得る等も出来る。
【００４１】
図３（Ｃ）は無線式感知器１６−１に対し無線式感知器１６−２、１６−３を信号線２１で順次接続した場合である。電波の届く場所に設置している無線式感知器１６−１は無線出力と有線入力の伝送モード２を選択する。最終段の無線式感知器１６−３は有線出力のみであることから伝送モード３を選択するが、伝送モード５を選択しても良い。間に位置する無線式感知器１６−２は有線入力と有線出力であることから伝送モード４を選択すれば良い。
【００４２】
図３（Ａ）において無線式感知器１６−１の通信モード３や伝送モード５を選択することで、また図３（Ｂ）、（Ｃ）において無線式感知器の１６−１を伝送モード４や伝送モード６を選択することで、無線式感知器１６−１を、無線受信用中継器１２を介さずに直接感知器回線１８−１乃至１８−３へ接続することが出来る。
【００４３】
図４は図２の伝送選択部により選択される伝送モードを一覧で示した説明図であり、伝送モード１〜５に対応して動作状態とする無線通信部２６、有線入力部３４又は有線出力部３８を○印で示している。
【００４４】
伝送モード１〜５の選択操作は図２の操作部４２に設けたディップスイッチなどで行い、このモード選択に基づきプロセッサ２４の伝送モード選択部５４は、無線通信部２６の出力ポート、有線入力部３４の入力ポート又は有線出力部３８の出力ポートに対する入出力を選択した伝送モードに応じて有効化する。
【００４５】
再び図２を参照するに、プロセッサ２４に設けた内部イベント処理部５６は、センサ部３０で検出された例えば煙検出信号をＡＤ変換ポートから読み込み、たとえば予め設定した火災閾値と比較し、火災閾値を超えたときに火災と判断し、火災をイベント内容とする内部イベント信号を作成して、このとき伝送選択部５４の伝送モードの選択で有効化している出力ポートから無線通信部２６（伝送モード１，２）または有線出力部３８（伝送モード３，４）を経由して上位側に送信する。
【００４６】
外部イベント処理部５８は、有線入力部３４から信号線２１を介して外部に接続している無線式感知器１６−２における火災検出で送信された外部イベント信号を受け付けた際に、無線式感知器１６−２の火災検出による外部イベント発生を判定して、このとき伝送選択部５４の伝送モードの選択で有効化している出力ポートから無線通信部２６（伝送モード１，２）または有線出力部３８（伝送モード３，４）を経由して上位側に送信する。
【００４７】
このとき外部イベント処理部５８は、無線式感知器１６−２から外部イベント信号を受け付けた際に、そのアドレスを識別し、識別した無線式感知器１６のアドレスを付加した外部イベント信号を外部に送信する。
【００４８】
図５は図２の無線式感知器における上りイベント信号のフォーマットを示した説明図である。上りイベント信号６０は、送信元アドレス、送信先アドレス、イベント内容、イベント元アドレス及びチェックサムで構成されている。
【００４９】
送信元アドレスは無線式感知器１６の不揮発メモリ３２に記憶されたアドレス４４であり、送信先アドレスは図１の無線受信用中継器１２となる。イベント内容は、火災、障害、試験結果などである。
【００５０】
更にイベント元アドレスについては、無線式感知器１６自身であれば自己のアドレス４３をセットし、一方、外部接続した無線式感知器１６からのイベント信号であればそのアドレスをセットする。
【００５１】
したがって図１の無線受信用中継器１２側にあっては、上りイベント信号６０のイベント元アドレスが送信元アドレスと同じであれば、電波の届く場所に設置している無線式感知器１６−１からのイベント信号であることが識別でき、一方、送信元アドレスとイベント元アドレスが相違する場合には、無線式感知器１６−１に信号線接続している無線式感知器１６−２からのイベント信号であることを認識できる。
【００５２】
図６は図２の無線式感知器による感知器処理を示したフローチャートであり、図２を参照して説明すると次のようになる。
【００５３】
図６において、無線式感知器１６の電池電源４６からの電源供給により動作を開始すると、ステップＳ１で初期化及び自己診断処理が実行された後、ステップＳ２に進み、事前に操作部４２により選択操作状態に応じて伝送モード１〜５のいずれかを選択する。
【００５４】
続いてステップＳ３でセンサ部３０からの例えば煙検出信号に基づく火災イベント発生の有無を判別している。ステップＳ３で火災イベントの発生が判別されると、ステップＳ４に進み、図３に示した上りイベント信号６０を作成し、ステップＳ２で選択している伝送モードにより火災イベント信号を上位側に送信する。
【００５５】
またステップＳ５にあっては、信号線２１を介して有線入力部３４により接続した他の無線式感知器１６−２からイベント信号を受け付ける外部イベント発生の有無を判別しており、外部イベント発生を判別すると、ステップＳ６に進み、図３の上りイベント信号６０のフォーマットについて、イベント元アドレスを無線式感知器１６−１のアドレスとした外部イベント信号を作成し、ステップＳ２で選択している伝送モードにより火災イベント信号を上位側に送信する。
【００５６】
図７は本発明の無線式警報器として無線式火災感知器を用いた防災システムの他の実施形態を示した説明図であり、上りイベント信号と下りイベント信号の双方向伝送を行うことを特徴とする。
【００５７】
図２において、監視対象となる建物１１の１Ｆには火災受信機としてＲ型受信機１００が設置されており、Ｒ型受信機１００からは伝送線１０２が引き出され、１Ｆ〜３Ｆに設置した無線受信用中継器１２を接続している。無線受信用中継器１２は上りイベント信号の無線受信に加え、下りイベント信号を無線送信し、更に、Ｒ型受信機１００との間で上り及び下りの双方向データ伝送を行う。
【００５８】
１Ｆ〜３Ｆに設置された無線受信用中継器１２に対しては、本発明による双方向伝送機能を備え且つ有線接続可能な無線式感知器１６が設置されている。なお、たとえば１Ｆ〜３Ｆのうち１乃至２フロア（系統）有線式動作する感知器を、Ｒ型受信機用中継器を介して伝送栓１０２へ接続するものであっても良い。このフロアには無線受信用中継器１２は設置されない。
【００５９】
無線式感知器１６は、火災を検出して火災を示すイベント信号を無線受信用中継器１２に送信し、無線受信用中継器１２は無線式感知器１６から受信したイベント信号から火災を判別し、火災判別信号をＲ型受信機１０に送信して感知器アドレスを特定した火災警報を行わせる。
【００６０】
またＲ型受信機１００は無線受信用中継器１２を経由して無線式感知器１６に復旧コマンドや試験コマンドを含む下りイベント信号を送信して無線式感知器１６の遠隔復旧や遠隔試験を行うことができる。
【００６１】
ここで、建物１１の３Ｆにあっては、無線受信用中継器１２に電波の届かない電波遮蔽空間となる例えばダクト２２の中に感知器を設置する必要があり、無線式感知器１６をそのまま設置することができないため、本発明の無線式感知器１６をダクト２２内に設置し、その近傍の電波の届く場所に設置している本発明の無線式感知器１６に信号線２１により接続している。
【００６２】
図８は本発明による無線式感知器の実施形態を示したブロック図であり、図７の３Ｆに示したように、電波の届く場所に設置した無線式感知器１６−１に電波の届かない場所に無線式感知器１６−２を設置して信号線２１により有線接続した場合を示している。
【００６３】
図８において、無線式感知器１６−１はプロセッサ２４を備え、プロセッサ２４に対しては、無線通信部２６、センサ部３０、不揮発メモリ３２、有線下位通信部６２、有線上位通信部６４、操作部４２及び表示部４４が設けられ、更に各回路部に対しては電池電源４６による電源供給が行われている。この内、センサ部３０、不揮発メモリ３２及び表示部４４は図２の実施形態と同じである。
【００６４】
無線通信部２６は送信回路４８と受信回路４９を備え、アンテナ２８を使用して、図１に示した無線受信用中継器１２との間で上りイベント信号の送信と下りイベント信号の受信を行う。
【００６５】
有線下位通信部６２は受信回路５０と送信回路５１を備え、下位入出力端子７０に電波の届かない場所に設置している他の無線式感知器１６−２の上位入出力端子７２を信号線２１により接続することができる。
【００６６】
有線上位通信部３８は送信回路５２と受信回路５３を備え、無線式感知器１６−１を電波の届かない場所に設置した場合、上位入出力端子７２に電波の届く場所に設置している他の無線式感知器に信号線で接続する。なお、下位入出力端子７０及び上位入出力端子７２に対する信号線の接続をコネクタ接続としても良い。
【００６７】
操作部４２は無線通信部２６、有線下位入出力部７０及び有線上位入出力部７２の組合せによる双方向の伝送モードを設定するディップスイッチなどを備える。
【００６８】
プロセッサ２４には、プログラムの実行により実現される機能として、伝送選択部５４、内部イベント処理部５６、外部イベント処理部５８、復旧制御部６６及び試験制御部６８が設けられている。なお、内部イベント処理部５６と外部イベント処理部５８は図２の実施形態と基本的に同じになる。
【００６９】
伝送選択部５４は、無線通信部２６、有線下位入出力部６２又は有線上位入出力部４６の組合せにより、
（１）無線入出力のみ、
（２）有線下位入出力と無線入出力、
（３）有線上位入出力のみ、
（４）有線下位入出力と有線上位入出力、又は
（５）有線上位入出力と無線入出力
のいずれかを選択する。ここで、前記（１）〜（５）の選択状態を双方向伝送モード１〜５とする。もちろん、必ずしも５者択一である必要はない。また無線入出力の有無（有効または無効）、有線上位入出力機能の有無、有線下位入出力機能の有無、を適宜に切り替えるなどして、様々な伝送モードを設定選択可能とすることもできる。
【００７０】
図９は本発明の無線式感知器を用いた有線接続の形態を示した説明図である。図９（Ａ）は無線式感知器１６−１を電波の届く場所に設置した場合であり、火災を検出すると内部イベント信号を無線受信用中継器１２に無線送信するもので、これは無線入出力のみの双方向伝送モード１を選択する。
【００７１】
図３（Ｂ）は図８のように無線式感知器１６−１に無線式感知器１６−２を信号線２１で接続した場合である。電波の届く場所に設置している無線式感知器１６−１は自己の火災検出による内部イベント信号は無線受信用中継器１２に無線送信し、また、他の無線式感知器１６−２からの外部イベント信号を有線入力して無線送信することから、有線下位入出力と無線入出力となる双方向伝送モード２を選択する。
【００７２】
図９（Ｂ）の電波の届かない場所に設置されて信号線２１により有線接続した無線式感知器１６−２は火災検出による内部イベント信号を有線出力することから、有線上位入出力のみの双方向伝送モード３を選択する。
【００７３】
図９（Ｃ）は無線式感知器１６−１に対し無線式感知器１６−２、１６−３を信号線２１で順次接続した場合である。電波の届く場所に設置している無線式感知器１６−１は無線出力と有線入力の双方向伝送モード２を選択する。最終段の無線式感知器１６−３は有線出力のみであることから双方向伝送モード３を選択する。間に位置する無線式感知器１６−２は有線入力と有線出力であることから、有線下位入出力と有線上位入出力となる双方向伝送モード４を選択すれば良い。
【００７４】
図１０は図８の伝送選択部５４により選択される双方向伝送モードを一覧で示した説明図であり、双方向伝送モード１〜４に対応して動作状態とする無線通信部２６、有線下位入出力部６２又は有線上位入出力部６４を○印で示している。
【００７５】
双方向伝送モード１〜４の選択操作は図８の操作部４２に設けたディップスイッチなどで行い、このモード選択に基づきプロセッサ２４の伝送モード選択部５４は、無線通信部２６の入出力ポート、有線下位入出力部６２の入出力ポート又は有線上位入出力部６４の入出力ポートに対する入出力を、選択した双方向伝送モードに応じて有効化する。
【００７６】
再び図８を参照するに、プロセッサ２４に設けた内部イベント処理部５６は、センサ部３０で検出された例えば煙検出信号をＡＤ変換ポートから読み込み、予め設定した火災閾値と比較し、火災閾値を超えたときに火災と判断し、火災をイベント内容とする内部イベント信号を作成して、このとき伝送選択部５４の双方向伝送モードの選択で有効化している出力ポートから無線通信部２６（双方向伝送モード１，２）または有線上位入出力部６４（双方向伝送モード３，４）を経由して上位側に送信する。
【００７７】
外部イベント処理部５８は、有線下位入出力部６２から信号線２１を介して外部に接続している無線式感知器１６−２における火災検出で送信された外部イベント信号を受け付けた際に、無線式感知器１６−２の火災検出による外部イベント発生を判定して、このとき伝送選択部５４の伝送モードの選択で有効化している出力ポートから無線通信部２６（伝送モード１，２）または有線出力部３８（伝送モード３，４）を経由して上位側に送信する。
【００７８】
このとき外部イベント処理部５８は、無線式感知器１６−２から外部イベント信号を受け付けた際に、そのアドレスを識別し、識別した無線式感知器１６のアドレス情報を付加した外部イベント信号を外部に送信する。
【００７９】
復旧制御部６６は、図７のＲ型受信機１００で無線受信用中継器１２からの火災判定信号で火災警報を行った後の復旧操作に伴う復旧指示を受けた際に、無線受信用中継器１２から無線式感知器１６に対し送信される復旧コマンドを含む下りイベント信号を受信し、または無線式警報器１６に一体に復旧操作部を設けてある場合にはその復旧操作を受け付けて無線式感知器１６−１自身の復旧動作を行うと共に、信号線２１を介して接続している他の無線式感知器１６−２に対し復旧コマンドを含む下りイベント信号を送出して復旧動作を行わせる。
【００８０】
ここで、無線受信用中継器１２から受信する復旧指示の下りイベント信号には復旧先を示すアドレス情報を付加し、この復旧先を示すアドレスの識別結果に応じて、無線式感知器１６−１自身の復旧、あるいは外部接続している無線式感知器１６−２の復旧指示を行うこともできる。
【００８１】
試験制御部６８は、図１の無線受信用中継器１２から試験指示を示す下りイベント信号を受け付けた際、または無線式警報器１６に一体に試験指示操作部を設けてある場合にはその復旧操作を受け付けた際に無線式感知器１６−１自身の状態を試験すると共に、信号線２１により接続された無線式感知器１６−２に対し試験指示を示す下りイベント信号を出力し、無線式感知器１６−２についても試験動作を行わせる。
【００８２】
無線式感知器１６−２で試験動作が行われると、その試験結果は上りイベント信号として無線式感知器１６−１に送られる。このため試験制御部５８は、自己の試験結果と信号線２１により無線式感知器１６−２から受け付けた試験結果に基づき、無線受信用中継器１２への試験結果の報知情報を判定選択して送信する。この試験結果の判定送信は、自己の試験結果に併せて他の警報器の試験結果を送信することになる。
【００８３】
更に試験制御部５８は、必要に応じて、自己の試験結果または自己の試験結果と外部接続している無線式感知器１６−２の試験結果を、表示部３６を使用して表示することができる。例えば表示部３６の表示器としてＬＥＤを使用していた場合には、試験結果が正常であればＬＥＤを点灯し、試験結果が異常であればＬＥＤを点滅するといった表示制御を行う。
【００８４】
図１１は図８の無線式感知器における上りイベント信号と下りイベント信号のフォーマットを示した説明図である。図１１（Ａ）は無線式感知器１６−１から送信する上りイベント信号６０であり、図５と同じである。
【００８５】
図１１（Ｂ）は図７の無線受信用中継器１２から無線式感知器１６に送信される下りイベント信号８０であり、送信元アドレス、送信先アドレス、コマンド及びチェックサムで構成されている。コマンドとしては、復旧指示信号としての復旧コマンド、試験指示信号としての試験コマンドなどをセットする。
【００８６】
図１２は図８の無線式感知器による感知器処理を示したフローチャートであり、図８を参照して説明すると次のようになる。
【００８７】
図１２において、無線式感知器１６の電池電源４６からの電源供給により動作を開始すると、ステップＳ１１で初期化及び自己診断処理が実行された後、ステップＳ１２に進み、事前に操作部４２により選択操作状態に応じて双方向伝送モード１〜４のいずれかを選択する。
【００８８】
続いて、ステップＳ１３に進み、センサ部３０からの例えば煙検出信号に基づく火災イベント発生の有無を判別している。ステップＳ３で火災イベントの発生が判別されると、ステップＳ１４に進み、図１１（Ａ）に示した上りイベント信号６０を作成し、これを内部イベント信号として無線受信用中継器１２に無線送信する。
【００８９】
またステップＳ１５にあっては、信号線２１を介して接続した無線式感知器１６−２からイベント信号を受け付ける外部イベント発生の有無を判別しており、外部イベント発生を判別すると、ステップＳ１６に進み、図１１（Ａ）の上りイベント信号６０のフォーマットについて、イベント元アドレスを無線式感知器１６−２のアドレスとした外部イベント信号を作成して無線受信用中継器１２に無線送信する。
【００９０】
続いてステップＳ１７で復旧信号の受信の有無を判別しており、ステップＳ１４もしくはステップＳ１６で火災によるイベント信号を送信した後に、図１１（Ｂ）に示すコマンドを復旧コマンドとした下りイベント信号８０による復旧指示信号を受信すると、ステップＳ８に進み、下りイベント信号８０の送信先アドレスが自己アドレスか否かチェックし、自己アドレスであればステップＳ１９に進み、自己の復旧動作を行う。
【００９１】
一方、ステップＳ１８で自己アドレスではなく、ステップＳ２０で他の無線式感知器１６−２を示すアドレスであることが判別された場合にはステップＳ２１に進み、無線式感知器１６−２に対し復旧指示信号を有線送信して復旧動作を行わせる。なお自己のアドレスに対する復旧指示信号を受け取ったら、自己の復旧動作と共に、自己に有線接続されている無線式感知器の復旧動作を行わせるようにしても良い。
【００９２】
またステップＳ２２にあっては試験指示信号の受信の有無をチェックしており、図１１（Ｂ）に示すコマンドを試験コマンドとした下りイベント信号８０による試験指示信号を受信すると、ステップＳ２３で自己アドレスか否か判別し、自己アドレスであればステップＳ２４に進み、自己の試験動作を行う。一方、ステップＳ２３で自己アドレスではなく、ステップＳ２５で他の無線式感知器１６−２を示すアドレスであることが判別された場合には、ステップＳ２６で無線式感知器１６−２に対し試験指示信号を有線送信して試験動作を行わせる。なお自己のアドレスに対する試験指示信号を受け取ったら、自己の試験動作と共に、自己に有線接続されている無線式感知器の試験動作を行わせるようにしても良い。
【００９３】
ステップＳ２４またはステップＳ２６の試験指示が済むと、ステップＳ２７で試験結果の取得をチェックしており、試験結果を取得するとステップＳ２８に進み、試験結果の無線送信を行う。
【００９４】
試験の無線送信は、試験動作を行った自己の試験結果、あるいは無線式感知器１６−２から送られてきた試験結果を、図１１（Ａ）に示した上りイベント信号６０のイベント内容にセットして送信する。更にステップＳ２９で試験結果を表示部３６により表示する。試験結果の表示は、自己の試験結果のみであってもよいし、自己の試験結果と無線式感知器１６−２から受信した試験結果の両方を表示するようにしてもよい。
【００９５】
なお、上記の実施形態にあっては、無線式警報器として無線式感知器を例に取るものであったが、本発明における無線式警報器としては無線式感知器に限定されず、ガス漏れ、侵入、各種障害情報、機器状態などを検出して無線送信する適宜の無線式警報器を含む。
【００９６】
また上記の実施形態は、図１に示したように、ビルなどに設置される防災監視システムを例に取っているが、住宅用に使用される警報器自身で警報出力を行う住警器として知られた住宅用の無線式警報器についても同様に、有線接続部を備えることで、電波の届きにくい場所については有線式の警報器を接続した有線式と無線式の混在システムとすることができる。
【００９７】
また本発明は、その目的と利点を損なうことのない適宜の変形を含み、更に上記の実施形態に示した数値による限定は受けない。
【図面の簡単な説明】
【００９８】
【図１】本発明による無線式感知器を用いた無線式の防災監視システムを示した説明図
【図２】本発明による無線式感知器の実施形態を示したブロック図
【図３】本発明の無線式感知器を用いた有線接続の形態を示した説明図
【図４】図２の伝送選択部により選択される伝送モードを一覧で示した説明図
【図５】図２の無線式感知器における上りイベント信号のフォーマットを示した説明図
【図６】図２の無線式感知器による感知器処理を示したフローチャート
【図７】本発明による無線式感知器を用いた無線式の防災監視システムを示した説明図
【図８】本発明による無線式感知器の実施形態を示したブロック図
【図９】本発明の無線式感知器を用いた有線接続の形態を示した説明図
【図１０】図８の伝送選択部により選択される伝送モードを一覧で示した説明図
【図１１】図８の無線式感知器における上りイベント信号のフォーマットを示した説明図
【図１２】図８の無線式感知器による感知器処理を示したフローチャート
【符号の説明】
【００９９】
１０：Ｐ型受信機
１２：無線受信用中継器
１６：無線式感知器
１８：感知器回線
２２：ダクト
２４：プロセッサ
２６：無線通信部
２８：アンテナ
３０：センサ部
３２：不揮発メモリ
３４：有線入力部
３６：入力端子
３８：有線出力部
４０：出力端子
４２：操作部
４４：表示部
４６：電池電源
４８：送信回路
５０：受信回路
５４：伝送選択部
５６：内部イベント処理部
５８：外部イベント処理部
６０：上りイベント信号
６２：有線下位通信部
６４：有線上位通信部
６６：復旧制御部
６８：試験制御部
７０：下位入出力端子
７２：上位入出力端子
１００：Ｒ型受信機
１０２：伝送線
【図１】
2010140390.tif 000003
【図２】
2010140390.tif 000004
【図３】
2010140390.tif 000005
【図４】
2010140390.tif 000006
【図５】
2010140390.tif 000007
【図６】
2010140390.tif 000008
【図７】
2010140390.tif 000009
【図８】
2010140390.tif 000010
【図９】
2010140390.tif 000011
【図１０】
2010140390.tif 000012
【図１１】
2010140390.tif 000013
【図１２】
2010140390.tif 000014